(57)【要約】【課題】精密パネルに大きな負荷をかけることなく精密パネルと精密パネルに貼付された板状体とを分離可能な分離装置を提供する。【解決手段】分離装置１００は、精密パネルから精密パネルの表面に貼付されている板状体を分離する装置である。分離装置１００は、薄板状の刀身を有する刃物１２０と、板状体が貼付された精密パネルが設置されるパネル設置部１１０と、刀身とパネル設置部に設置された精密パネルの表面とが平行になるように刃物１２０が固定される刃物固定部１３０と、刃物１２０が精密パネルと板状体との間にある粘着層の部分を進行するように、パネル設置部１１０および刃物固定部１３０の少なくとも一方を刀身の表面と平行な方向に移動させる送り機構１５０と、を備えている。【選択図】図１
2014133291.tif 000002
【特許請求の範囲】
【請求項１】
精密パネルから前記精密パネルの表面に貼付されている板状体を分離する分離装置であって、
薄板状の刀身を有する刃物と、
前記板状体が貼付された前記精密パネルが設置されるパネル設置部と、
前記刀身と前記パネル設置部に設置された前記精密パネルの表面とが平行になるように前記刃物が固定される刃物固定部と、
前記刃物が前記精密パネルと前記板状体との間にある粘着層の部分を進行するように、前記パネル設置部および前記刃物固定部の少なくとも一方を前記刀身の表面と平行な方向に移動させる送り機構と、を備える、
ことを特徴とする分離装置。
【請求項２】
前記刃物の刃先は、パネル分離中に前記精密パネルと前記板状体の一方と逃げ角を形成するように、前記刀身に対して傾斜している、
ことを特徴とする請求項１に記載の分離装置。
【請求項３】
前記精密パネルと前記板状体とに挟まれている前記刃物に加わる挟圧力が高まるように、前記精密パネルと前記板状体との少なくとも一方の表面に対して、前記精密パネルと前記板状体とが接近する方向に圧縮圧力を加える加圧手段、を備える、
ことを特徴とする請求項１又は２に記載の分離装置。
【請求項４】
前記刃物は、長辺側に刃先を有する帯状の刃物であり、
前記加圧手段は、前記粘着層を進行中の前記刃物の刃先が位置している箇所に、前記刃先と平行に圧縮圧力を加える、
ことを特徴とする請求項３に記載の分離装置。
【請求項５】
前記刃物は、長辺側に刃先を有する帯状の刃物であり、
前記刃物固定部は、前記刃物の長手方向の両側から、若しくは前記刃物の長手方向の片側から前記刃物を引張する引張機構、を備える、
ことを特徴とする請求項１乃至４のいずれか１項に記載の分離装置。
【請求項６】
前記刃物は、長辺側の一方に刃先を有する帯状の刃物であり、
前記引張機構は、刃先側に加わる引張力がその反対側の刀身側に加わる引張力より大きくなるように、前記刃物の長手方向に対して刀身側に傾いた方向に前記刃物を引張可能に構成されている、
ことを特徴とする請求項５に記載の分離装置。
【請求項７】
前記刃物に熱を加える加熱手段、を備える、
ことを特徴とする請求項１乃至６のいずれか１項に記載の分離装置。
【請求項８】
前記刃物は、電流が流れることにより発熱する帯状の刃物であり、長辺側の一方には刃先が形成され、長辺側の他方には前記刃物の短手方向の幅を短くし電気抵抗を高める凹部が形成されており、
前記加熱手段は、前記刃物に電流を流して刃物を発熱させる、
ことを特徴とする請求項７に記載の分離装置。
【請求項９】
前記送り機構は、
モーターの動力により直線移動する移動体と、
前記パネル設置部および前記刃物固定部の一方と前記移動体とを直接的あるいは間接的に接続する弾性体と、を備え、
前記パネル設置部および前記刃物固定部の一方は、前記弾性体を介して伝達された前記移動体の推進力により移動する、
ことを特徴とする請求項１乃至８のいずれか１項に記載の分離装置。
【発明の詳細な説明】
【技術分野】
【０００１】
本発明は、分離装置に関する。
【背景技術】
【０００２】
液晶パネルにタッチパネルを貼り付けた液晶タッチパネルを備える電気機器が増えている。特許文献１には、タッチパネルと液晶パネルとを備えるタッチパネル付き表示装置が開示されている。
【先行技術文献】
【特許文献】
【０００３】
【特許文献１】特開２０１２−０９４１２０号公報
【発明の概要】
【発明が解決しようとする課題】
【０００４】
タッチパネルや液晶パネルのような精密パネルは高価である。精密パネルの表面に貼付された板状体に不具合が見つかった場合、精密パネルから板状体を分離して精密パネルを回収したくなる場合がある。また、板状体ではなく、精密パネルの方に問題がある場合も、問題を解析するために、精密パネルから板状体を分離したくなる場合がある。ここで、「板状体」とは、パネル、シート、フィルム等の板状の物体のことであり、例えば、精密パネルの表面に貼付される保護パネルや保護フィルムのことである。なお、板状体には精密パネルも含まれる。
【０００５】
しかしながら、多くの場合、振動や衝撃に耐性を持たせるため、精密パネルと板状体は粘着材でしっかり固定される。そのため、精密パネルと板状体との分離は極めて困難である。精密パネルは負荷に極めて弱いため、無理に分離しようとすると、精密パネルが破壊されて再使用に耐えなくなったり、不具合のある精密パネルがさらに破壊されて問題の原因が分からなくなったりする。
【０００６】
本発明はこのような問題に鑑みてなされたものであり、精密パネルに大きな負荷をかけることなく精密パネルと精密パネルに貼付された板状体とを分離可能な分離装置を提供することを目的とする。
【課題を解決するための手段】
【０００７】
本発明の分離装置は、精密パネルから前記精密パネルの表面に貼付されている板状体を分離する分離装置であって、
薄板状の刀身を有する刃物と、
前記板状体が貼付された前記精密パネルが設置されるパネル設置部と、
前記刀身と前記パネル設置部に設置された前記精密パネルの表面とが平行になるように前記刃物が固定される刃物固定部と、
前記刃物が前記精密パネルと前記板状体との間にある粘着層の部分を進行するように、前記パネル設置部および前記刃物固定部の少なくとも一方を前記刀身の表面と平行な方向に移動させる送り機構と、を備える、
ことを特徴とする。
【０００８】
前記刃物の刃先は、パネル分離中に前記精密パネルと前記板状体の一方と逃げ角を形成するように、前記刀身に対して傾斜していてもよい。
【０００９】
前記精密パネルと前記板状体とに挟まれている前記刃物に加わる挟圧力が高まるように、前記精密パネルと前記板状体との少なくとも一方の表面に対して、前記精密パネルと前記板状体とが接近する方向に圧縮圧力を加える加圧手段、を備えていてもよい。
【００１０】
前記刃物は、長辺側に刃先を有する帯状の刃物であり、
前記加圧手段は、前記粘着層を進行中の前記刃物の刃先が位置している箇所に、前記刃先と平行に圧縮圧力を加えていてもよい。
【００１１】
前記刃物は、長辺側に刃先を有する帯状の刃物であり、
前記刃物固定部は、前記刃物の長手方向の両側から、若しくは前記刃物の長手方向の片側から前記刃物を引張する引張機構、を備えていてもよい。
【００１２】
前記刃物は、長辺側の一方に刃先を有する帯状の刃物であり、
前記引張機構は、刃先側に加わる引張力がその反対側の刀身側に加わる引張力より大きくなるように、前記刃物の長手方向に対して刀身側に傾いた方向に前記刃物を引張可能に構成されていてもよい。
【００１３】
前記刃物に熱を加える加熱手段、を備えていてもよい。
【００１４】
前記刃物は、電流が流れることにより発熱する帯状の刃物であり、長辺側の一方には刃先が形成され、長辺側の他方には前記刃物の短手方向の幅を短くし電気抵抗を高める凹部が形成されており、
前記加熱手段は、前記刃物に電流を流して刃物を発熱させてもよい。
【００１５】
前記送り機構は、
モーターの動力により直線移動する移動体と、
前記パネル設置部および前記刃物固定部の一方と前記移動体とを直接的あるいは間接的に接続する弾性体と、を備え、
前記パネル設置部および前記刃物固定部の一方は、前記弾性体を介して伝達された前記移動体の推進力により移動してもよい。
【発明の効果】
【００１６】
本発明によれば、精密パネルに大きな負荷をかけることなく精密パネルと精密パネルに貼付された板状体とを分離可能な分離装置を提供できる。
【図面の簡単な説明】
【００１７】
【図１】本発明の実施の形態に係る分離装置の斜視図である。
【図２】分離装置で分離する液晶タッチパネルを説明するための図であり、（Ａ）は液晶タッチパネルの斜視図、（Ｂ）は液晶タッチパネルの側面の拡大図である。
【図３】パネル設置部を説明するための図であり、（Ａ）〜（Ｃ）はそれぞれパネル設置部が後方向に移動する様子を示す図である。
【図４】分離装置で使用される刃物を説明するための図であり、（Ａ）は刃物の平面図、（Ｂ）は刃物の断面である。
【図５】刃物固定部を説明するための図であり、（Ａ）は加圧機構を取り除いた分離装置の斜視図、（Ｂ）は加圧機構を取り除いた分離装置の平面図である。
【図６】刃物固定部を説明するための図であり、（Ａ）は刃物固定部の分解図、（Ｂ）は刃物が固定された刃物固定部の斜視図である。
【図７】引張機構を説明するための図であり、（Ａ）は刃物が固定された引張機構の斜視図、（Ｂ）は刃物が固定された引張機構の平面図である。
【図８】引張機構の効果を説明するための図であり、（Ａ）は引張機構を使用しない場合に、粘着層からの圧力により刃物が撓む様子を示す図であり、（Ｂ）は撓みに伴い刃物がうねった様子を示す図である。
【図９】送り機構を説明するための図であり、（Ａ）は左側のレール、左側の刃物固定部、及び左側の支持部材を取り除いた分離装置の側面図、（Ｂ）は図９（Ａ）に示すＡ−Ａ’線の断面図、（Ｃ）は図９（Ｂ）に示すＢ−Ｂ’線の断面図である。
【図１０】加熱装置を説明するための図である。
【図１１】加圧機構を説明するための図であり、（Ａ）は刃物固定部に設置された加圧機構の平面図、（Ｂ）は図１１（Ａ）に示すＡ−Ａ’線の断面図、（Ｃ）は刃物固定部に設置された加圧機構の斜視図である。
【図１２】分離装置の動作を説明するための図であり、（Ａ）〜（Ｃ）はそれぞれパネル設置部が移動する様子を示す図である。
【図１３】刃物が粘着層を進行する様子を示す図であり、（Ａ）は粘着層を進行する刃物の刃先部分の拡大図、（Ｂ）は刃物の前方にできる離間領域を説明するための図、（Ｃ）は加圧機により逃げ角が鋭くなった様子を示す図である。
【図１４】引張機構が刃物の片側にのみ設置された様子を示す図である。
【発明を実施するための形態】
【００１８】
以下、本発明を実施するための形態について図面を参照しながら説明する。
【００１９】
本発明の実施の形態に係る分離装置は、精密パネルに貼付されている板状体を精密パネルから分離するための装置である。ここで「精密パネル」とは、精密部品（例えば、偏向フィルタ、ガラス基板、液晶、導電膜、ＬＥＤ（Light Emitting Diode）等）から構成されるパネルのことであり、例えば、液晶パネルやタッチパネルのことである。
【００２０】
以下、液晶タッチパネル２００を構成する２枚のパネルを分離する、例えば図１に示すような外観の分離装置１００を例にとり、本発明の実施の形態に係る分離装置について説明する。なお、分離対象となる液晶タッチパネル２００は、図２（Ａ）に示すように、タッチパネル２１０と液晶パネル２２０の２枚の精密パネルが粘着材で貼り合わされた精密パネル（板状体）である。２枚の精密パネルの間には、図２（Ｂ）に示すように、粘着層２３０が形成されている。
【００２１】
分離装置１００は、図１に示すように、パネル設置部１１０と、刃物１２０と、刃物固定部１３０と、引張機構１４０と、送り機構１５０と、加熱装置１６０と、加圧機構１７０とから構成される。なお、以下の説明では、理解を容易にするため、図面に向かって左側を「前方向」、右側を「後方向」とよぶ。また、前方向に向かって左側を「左方向」、右側を「右方向」とよぶ。
【００２２】
パネル設置部１１０は、液晶タッチパネル２００を載置するための設置台である。台座１８１の上には２本のレール（レール１８２およびレール１８３）が平行配置されている。パネル設置部１１０は、この２本のレールの上に、前後方向にスライド可能に設置されている。パネル設置部１１０の端には、図３（Ａ）に示すように、２つの突起（突起１１１および突起１１２）が形成されている。液晶タッチパネル２００は、これら２つの突起に短辺が接するよう載置される。パネル設置部１１０は、液晶タッチパネル２００を載せた状態で、図３（Ｂ）や図３（Ｃ）に示すように、後方向にゆっくりスライドする。
【００２３】
刃物１２０は、図４（Ａ）に示すように、薄板状の刀身１２１を有し、長辺側の一方（以下、「刃先側」という。）に刃先１２２を有する帯状の刃物である。長辺側の他方（以下、「刀身側」という。）には凹部１２３と凹部１２４が形成されており、凹部が形成されている箇所の幅（図４（Ａ）に示すｗ１）は、凹部が形成されていない箇所の幅（図４（Ａ）に示すｗ２）より短くなっている。そのため、刃物１２０の長手方向の一端から他端に向けて電流を流したとしても、凹部が形成されている箇所（以下、「凹部形成部」という。）では、凹部が形成されていない箇所（以下、「凹部非形成部」という。）より電流が通り難くなっている（すなわち、電気抵抗が高くなっている）。結果として、後述の加熱装置１６０を使って刃物１２０に電流を流したときに、凹部形成部では凹部非形成部より発熱量が大きくなる。刃物１２０の刃先１２２は、タッチパネル２１０と液晶パネル２２０を分離する際に、例えば図４（Ｂ）に示すように、２枚のパネルの一方と逃げ角Ｒを形成するよう、刀身１２１に対して傾斜している。刃物１２０は、刀身１２１が液晶タッチパネル２００の表面と平行になるように、刃物固定部１３０に固定される。
【００２４】
図５（Ａ）および図５（Ｂ）は、刃物固定部１３０を視認容易にするため、分離装置１００から加圧機構１７０を取り除いたものである。刃物固定部１３０は、図５（Ａ）に示すように、左固定部１３１と、右固定部１３２とから構成される。左固定部１３１は、図６（Ａ）に示すように、挟持部材１３１ａと、挟持部材１３１ｂとから構成される。また、右固定部１３２は、挟持部材１３２ａと、挟持部材１３２ｂとから構成される。左固定部１３１と右固定部１３２は、図６（Ｂ）に示すように、それぞれ２つの挟持部材で刃物１２０の両端を挟持している。
【００２５】
引張機構１４０は、刃物１２０に対して長手方向に引張力を加えるための機構である。引張機構１４０は、図７（Ａ）に示すように、引張部材１４１と、引張部材１４２とから構成される。引張部材１４１は左固定部１３１の左側面に設置されており、引張部材１４２は右固定部１３２の右側面に設置されている。刃物１２０の両端は、引張部材１４１および引張部材１４２に固定されている。
【００２６】
引張部材１４１と引張部材１４２には、それぞれ、左右方向に貫通するネジ穴が形成されている。ネジ穴には、それぞれ、ネジ１４１ａ、ネジ１４１ｂ、ネジ１４２ａ、ネジ１４２ｂが螺合している。これらのネジをねじ込むことにより、刃物１２０に対して引張力を加えることが可能である。なお、ネジ穴は、刃物１２０を挟んで前後に２つずつ形成されている。そのため、刃先側にあるネジを刀身側にあるネジより多くねじ込むことにより、図７（Ｂ）に示すように、刃先側に刀身側より大きな引張力を加えることが可能である。こうすることにより、パネル分離時に粘着層からの圧力により生じる、図８（Ａ）に示すような刃物１２０の刀身側への撓みを抑制できる。その結果として、パネル分離時に生じる図８（Ｂ）に示すような刃先１２２のうねりを抑制できる。
【００２７】
送り機構１５０は、パネル設置部１１０を後方向に移動させるための機構である。送り機構１５０は、図９（Ａ）に示すように、モーター１５１と、主軸１５２と、移動体１５３と、弾性体１５４とから構成される。
【００２８】
モーター１５１は、ＤＣモーターやステッピングモーター等の電気モーターから構成される。モーター１５１のシャフトは主軸１５２の一端に固定されている。モーター１５１は、通電により主軸１５２を回転させる。
【００２９】
主軸１５２は、周面にネジ山が形成された棒状体から構成される。主軸１５２は、レール１８２とレール１８３の間に、軸方向を前後方向に向け設置されている。
【００３０】
移動体１５３は、パネル設置部１１０に推進力を与えるためのものである。移動体１５３は、図９（Ｂ）に示すように、レール１８２およびレール１８３の上に、前後方向にスライド可能に設置されている。移動体１５３には、前後方向に貫通する貫通穴が形成されている。貫通穴の周面にはネジ溝が形成されている。ネジ溝は、図９（Ｃ）に示すように、主軸１５２のネジ山と螺合している。移動体１５３は、主軸１５２の回転に伴って後方向にゆっくりスライドする。
【００３１】
弾性体１５４は、移動体１５３の推進力をパネル設置部１１０に伝達するバネである。弾性体１５４の一端は、図９（Ａ）に示すように、移動体１５３に連結されており、他端はパネル設置部１１０に連結されている。弾性体１５４は、モーター１５１のトルクの細かな強弱により生じる移動体１５３の推進力の不均一を均一化し、パネル設置部１１０を滑らかに移動させる。
【００３２】
加熱装置１６０は、刃物１２０を加熱するための装置である。加熱装置１６０は、刃物１２０に電流を流す直流電源装置から構成される。刃物１２０は電流が流れることにより発熱する素材から構成されている。加熱装置１６０は、図１０に示すように、刃物１２０に電流を流し、刃物１２０を５０℃〜９０℃程度にまで加熱する。前述したように、凹部形成箇所では、刃物１２０の短手方向の幅が凹部非形成箇所より小さくなっているので、凹部形成箇所では凹部非形成箇所より発熱量が大きくなる。
【００３３】
加圧機構１７０は、タッチパネル２１０と液晶パネル２２０の刃物１２０を挟む圧力が高まるように、液晶タッチパネル２００の上側からに対して圧力を加えるための機構である。加圧機構１７０は、図１１（Ａ）に示すように、ローラー１７１と、支持部材１７２と、支持部材１７３とから構成される。ローラー１７１は円柱状のローラーであり、支持部材１７２と支持部材１７３に回転可能に固定されている。ローラー１７１は、図１１（Ｂ）に示すように、刃物１２０の刃先１２２の上部に刃先１２２と平行に設置されている。支持部材１７２と支持部材１７３は、図１１（Ｃ）に示すように、それぞれ、挟持部材１３１ｂと挟持部材１３２ｂの上に設置されている。支持部材１７２と支持部材１７３には、それぞれ、上下方向に貫通するネジ穴が形成されており、そのネジ穴にはネジが螺合されている。螺合されたネジのねじ込む量を調整することで、液晶タッチパネル２００に加える圧力を調整可能である。
【００３４】
次に、このような構成を有する分離装置１００の動作について説明する。
【００３５】
加熱装置１６０に電源が投入されると、加熱装置１６０は刃物１２０に電流を流して、刃物１２０を発熱させる。また、モーター１５１に電源が投入されると、モーター１５１は不図示のプロセッサの制御に従って、主軸１５２を回転させる。
【００３６】
主軸１５２が回転すると、移動体１５３は後方向に直線移動する。パネル設置部１１０は移動体１５３に引っ張られて後方向に移動する。
【００３７】
刃物１２０は、刃先１２２が粘着層２３０の高さにくるよう位置調整されている。刃物１２０は、パネル設置部１１０の移動によって、図１２（Ａ）に示すように、液晶タッチパネル２００の粘着層２３０に食い込む。刃物１２０は熱で粘着材を溶かしながら粘着層２３０の部分を図１２（Ｂ）や図１２（Ｃ）に示すように進行し、最終的に２枚のパネルを分離する。
【００３８】
なお、刃物１２０の刃先１２２は、液晶タッチパネル２００の２枚のパネルの一方と逃げ角Ｒを形成するよう、刀身１２１に対して傾斜している。そのため、２枚のパネルは、図１３（Ａ）に示すように、粘着層２３０が一方のパネルに偏った状態で分離される。
【００３９】
本実施の形態によれば、薄い刀身の刃物を使って２枚のパネルをスライスするように分離しているので、大きな負荷をかけることなく２枚のパネルを分離できる。
【００４０】
また、刃先が傾斜していない刃物を使って液晶タッチパネル２００をスライスした場合、図８（Ｂ）に示すように、粘着層２３０が上下に不均一に分離し、刃先にうねりが発生する。このうねりは、パネル表面に強い負荷を与え、パネル表面に「シミ」や「にじみ」を発生させる。しかしながら、本実施の形態の刃物１２０は、刃先１２２が刀身１２１に対して傾斜しているため、図１３（Ａ）に示すように、粘着層２３０が一方のパネルに偏った状態で分離される。そのため、刃物１２０が、図８（Ｂ）に示すように、うねることが少なくなるので、パネル表面に大きな負荷が加わることがない。
【００４１】
なお、刃先が傾斜した刃物は、刃先が傾斜していない刃物に比べ、刃厚ｄが大きくなる。そのため、刃先１２２が傾斜した刃物１２０を使ってパネルを分離すると、図１３（Ｂ）に示すように、刃先１２２の前方に２枚のパネルが離間した領域（以下、「離間領域」という。）ができる。この離間領域では、粘着層２３０は上下に大きく伸張し、その収縮力でパネル表面に強い負荷を与えることになる。結果として、パネル表面にはシミやにじみができる。しかしながら、本実施の形態では、図１３（Ｃ）に示すように、ローラー１７１でパネルを押圧しながら分離しているため、粘着層２３０の上下への伸張が抑制される。その結果、パネル表面にシミやにじみができ難くなる。
【００４２】
また、ローラー１７１は、刃先１２２の上部からパネルを押圧しているので、刃先１２２と一方のパネルがしっかり密着する。しかも、刃先１２２はパネルからの圧力により、逃げ角Ｒは鋭くなる。そのため、粘着層２３０が下側のパネルからきれいに剥がれ、粘着層２３０の上下への分散が少なくなる。その結果、刃物１２０のうねりが少なくなり、パネル表面に加わる負荷が少なくなる。
【００４３】
通常、液晶パネルとタッチパネルの粘着にはアクリル系の粘着材が使用される。アクリル系の粘着材は温度を加えることで柔らかくなる。本実施の形態では、刃物１２０を加熱する加熱装置１６０を備えているので、粘着層２３０を熱で柔らかくしながらパネルを分離できる。そのため、パネルに加わる負荷を小さくすることができる。
【００４４】
なお、刃物１２０を加熱する場合、刃物１２０の粘着層２３０やパネルに接する部分は、粘着層２３０やパネルに熱が吸収され部分的に温度が低くなる。物体は温度により伸び縮みするので、温度が不均一であると、刃物１２０が撓み、結果としてパネルに負荷を与えることになる。しかしながら、本実施の形態では、熱の吸収を加味して刃物１２０に電気抵抗を高めるための凹部を形成しているため、パネルを分離する際に刃物１２０の温度が均一になる。その結果、刃物の撓みが抑制され、パネルに与える負荷が小さくなる。
【００４５】
また、本実施の形態のパネル設置部１１０は電気モーターにより推進力が与えられる。電気モーターには微妙なトルクの強弱がある。このトルクの強弱は刃物１２０とパネルの接触圧力に微妙な変化をもたらし、結果として、パネルに強い負荷を与える。しかしながら、本実施の形態では、パネル設置部１１０は、弾性体１５４を介して推進力が与えられる。そのため、電気モーターのトルクの強弱が吸収され、パネル設置部１１０が滑らかに移動する。その結果、パネルに加わる負荷を小さくすることができる。
【００４６】
なお、上述の実施の形態は一例であり、種々の変更及び応用が可能である。
【００４７】
例えば、上述の実施の形態では、２枚のパネルを分離するため、パネル設置部１１０が移動するよう構成されていたが、刃物固定部１３０が移動するよう構成されていてもよい。
【００４８】
また、上述の実施の形態では、タッチパネル２１０が上側にくるよう液晶タッチパネル２００を載置しているが、液晶パネル２２０が上側にくるよう液晶タッチパネル２００を載置してもよい。正常パネルを確実に回収するため、刃先１２２が接触して圧力が加わりやすい下側に不良パネルがくるようにしてもよい。
【００４９】
また、上述の実施の形態では、刃物１２０を両側から引張するよう構成されていたが、片側からのみ引張するよう構成されていてもよい。例えば、図１４に示すように、刃物１２０の左端を、左固定部１３１に抜けないよう完全に固定し、刃物１２０の右端から引張部材１４２で引張する。
【００５０】
また、ローラー１７１で加圧する液晶タッチパネル２００の表面は、刃先１２２の上部に限られない。刀身１２１の上部であってもよいし、離間領域の上部であってもよい。
【００５１】
また、上述の実施の形態では、分離装置１００は、液晶タッチパネル２００のタッチパネル２１０と液晶パネル２２０とを分離したが、分離装置１００の分離対象は液晶タッチパネル２００のタッチパネル２１０と液晶パネル２２０とに限定されない。例えば、分離装置１００は、精密パネル（例えば、液晶タッチパネル２００、タッチパネル２１０、液晶パネル２２０等）の表面に粘着材で貼付された精密パネル以外の板状体（例えば、保護パネル、保護シート、保護フィルム等）を精密パネルから分離してもよい。
【００５２】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【００５３】
１００          分離装置
１１０          パネル設置部
１１１、１１２  突起
１２０          刃物
１２１          刀身
１２２          刃先
１２３、１２４  凹部
１３０          刃物固定部
１３１          左固定部
１３２          右固定部
１３１ａ、１３１ｂ、１３２ａ、１３２ｂ  挟持部材
１４０          引張機構
１４１、１４２  引張部材
１４１ａ、１４１ｂ、１４２ａ、１４２ｂ  ネジ
１５０          送り機構
１５１          モーター
１５２          主軸
１５３          移動体
１５４          弾性体
１６０          加熱装置
１７０          加圧機構
１７１          ローラー
１７２、１７３  支持部材
１８１          台座
１８２、１８３  レール
２００          液晶タッチパネル
２１０          タッチパネル
２２０          液晶パネル
２３０          粘着層
【図１】
2014133291.tif 000003
【図２】
2014133291.tif 000004
【図３】
2014133291.tif 000005
【図４】
2014133291.tif 000006
【図５】
2014133291.tif 000007
【図６】
2014133291.tif 000008
【図７】
2014133291.tif 000009
【図８】
2014133291.tif 000010
【図９】
2014133291.tif 000011
【図１０】
2014133291.tif 000012
【図１１】
2014133291.tif 000013
【図１２】
2014133291.tif 000014
【図１３】
2014133291.tif 000015
【図１４】
2014133291.tif 000016